(57)【特許請求の範囲】
【請求項１】
動作による演出を行なう可動演出装置を備えた遊技機において、
前記可動演出装置は、
内部に収容空間が画成されると共に外部に駆動手段が設置された箱状の装置本体と、
前記装置本体の収容空間に収容され、駆動手段に連繋接続する駆動伝達手段と、
前記駆動手段と同じ面側に位置するよう前記装置本体の外部に配設されて、該装置本体に開設された取付孔を介して前記収容空間内で駆動伝達手段として設けられた円環状部材に接続する可動体とを備え、
前記円環状部材は、
前記取付孔に内挿されて当該取付孔の内周面に摺接する摺動筒部と、
外周面から径方向外方へ延出するよう形成され、前記摺動筒部を取付孔に内挿させた状態で、当該取付孔の開口縁部から前記収容空間内へ突出するよう前記装置本体に設けられた第１環状リブに摺接する摺接片と、
後端部から径方向内方へ延出するよう形成され、前記取付孔の開設位置で開口する円形の連結孔を形成する固定片と、
前記固定片に設けられて前記取付孔の開口内側に臨む第１係合固定部と、
前記第１環状リブに対向する前記装置本体の平板部に摺接する第２環状リブとを備え、
前記円環状部材の摺接片が第１環状リブに摺接すると共に前記第２環状リブが平板部に摺接した状態で、前記駆動手段の駆動に伴って円環状部材が前記連結孔の開口中心を中心として回転するよう構成され、
前記可動体は、
前記取付孔を介して収容空間内に挿入され、前記円環状部材の固定片により形成された前記連結孔に嵌合する円筒状連結部と、
前記円環状部材の第１係合固定部と対応した位置に形成されて、当該第１係合固定部と係合し、当該第１係合固定部との係合により前記円環状部材の周方向に対して円筒状連結部を位置決めする第２係合固定部とを備え、
前記円筒状連結部が円環状部材の連結孔に嵌合すると共に前記第１および第２係合固定部が係合する状態で、当該円筒状連結部が円環状部材に連結されて、該円環状部材と一体的に可動体が装置本体の外部で回転するよう構成された
ことを特徴とする遊技機。
【請求項２】
前記可動体は、前記円筒状連結部の径方向内側に、当該円筒状連結部と同心状に延在する配線巻き付け部が形成されて、当該配線巻き付け部および円筒状連結部の間に環状空間が画成され、
前記可動体に配設された電気部品に接続されたフラットケーブルを、前記環状空間内で前記配線巻き付け部に一定方向に巻き付けて、前記可動体の回転に伴い配線巻き付け部に巻き付けたフラットケーブルが弛緩および収縮することで、当該可動体の往復回転運動を許容するよう構成すると共に、
前記装置本体の前記平板部に、前記取付孔と開口中心が整列する孔部が形成され、当該孔部を介して装置本体から延出する前記配線巻き付け部の端部に、当該配線巻き付け部から径方向外方へ延出する透明な円板状カバー部材が取り付けられた請求項１記載の遊技機。
【請求項３】
前記装置本体における前記可動体の配設側の外面に前記駆動手段としての駆動モータが設置されて、該駆動モータの駆動軸が収容空間内に臨むよう構成されると共に、該駆動軸に駆動歯車が取り付けられ、
前記駆動伝達手段は、前記装置本体の内部で回転可能に支持された平歯車を備え、該平歯車が前記駆動モータの駆動歯車と噛合すると共に、前記円環状部材の外周面に形成された外周歯車部と噛合するよう構成された請求項１または２記載の遊技機。
【請求項４】
前記円環状部材には、径方向外方へ延出する位置検出片が形成されると共に、前記装置本体における前記収容空間の内部に、該円環状部材の径方向外方に離間する位置に位置検出センサが配設され、当該円環状部材の回転に伴って位置検出センサが位置検出片を検出するよう構成された請求項１〜３の何れか一項に記載の遊技機。
【発明の詳細な説明】
【技術分野】
【０００１】
この発明は、動作による演出が行なわれる可動演出装置を備えた遊技機に関するものである。
【背景技術】
【０００２】
代表的な遊技機であるパチンコ機は、遊技盤の盤面に画成した遊技領域の略中央位置に枠状に形成された枠状装飾体(所謂センター役物)が配設されており、この枠状装飾体の開口部を介して複数の図柄を変動表示して図柄変動演出を行なう液晶式やドラム式等の図柄表示装置を後方から臨ませると共に、該遊技盤における枠状装飾体の下方位置に、パチンコ球(遊技球)の入賞により図柄表示装置での変動を開始させる始動入賞装置や大当り時等に開放する特別入賞装置を配設するよう構成されたものが多数提案されている。このようなパチンコ機では、前記遊技領域に打ち出されたパチンコ球が遊技領域内に植設された遊技釘等との接触により跳ね返りながら次第に自重により流下し、該遊技領域を流下する過程で前記始動入賞装置に入賞することにより、前記図柄表示装置で図柄変動に伴うリーチ演出等の各種の遊技演出がなされ、該図柄表示装置に図柄が所定の組み合わせで停止することにより所謂大当りが発生し、遊技盤に設けられた特別入賞装置が開放して多数の賞球を獲得し得るよう構成される。
【０００３】
また、前述したパチンコ機には、特許文献１に記載されるように、前記装飾部材に、所要の動作を行なう可動部材を備えた可動演出装置を配設し、該可動部材を前記図柄表示装置で行なわれる遊技演出に合わせて動作させることにより、視覚的な演出効果を向上させ、遊技の興趣を高めるようにしたパチンコ機も知られている。そして特許文献１に記載されたパチンコ機では、前記可動部材に対してＬＥＤ等からなる発光体を配設することで、可動部材による動作演出だけでなく、該可動部材の動作に合わせて発光体の発光態様を変化させるよう構成されている。
【先行技術文献】
【特許文献】
【０００４】
【特許文献１】特開２００７−５４１４０号公報
【発明の概要】
【発明が解決しようとする課題】
【０００５】
しかしながら、可動部材が回転動作を行なうよう構成する場合に、駆動手段により駆動伝達手段を回転軸に連繋接続して、該回転軸の端部に可動部材を直接固定する構成では、組み付け寸法の公差等に起因して、駆動手段の駆動時に回転軸が僅かに傾斜するような動きをする。このため、前記回転軸に固定された可動部材が回転軸を中心に捻れるような動きをすることになるため、可動部材の安定性に優れたものとはなっていない。そして、可動部材が回転軸を中心に捻れるように動作することで、該回転軸に過剰な負荷が掛かってしまい、場合によっては回転軸が損傷して可動部材を適切に動作させ得なくなることも懸念される。
【０００６】
すなわち本発明は、従来の技術に係る遊技機の可動演出装置に内在する前記課題に鑑み、これを好適に解決するべく提案されたものであって、可動体の動作安定性を向上した可動演出装置を備えた遊技機を提供することを目的とする。
【課題を解決するための手段】
【０００７】
前記課題を解決し、所期の目的を達成するため、本発明の請求項１に係る発明は、
動作による演出を行なう可動演出装置(31)を備えた遊技機において、
前記可動演出装置(31)は、
内部に収容空間(42)が画成されると共に外部に駆動手段(45)が設置された箱状の装置本体(33)と、
前記装置本体(33)の収容空間(42)に収容され、駆動手段(45)に連繋接続する駆動伝達手段(47,48,50)と、
前記駆動手段(45)と同じ面側に位置するよう前記装置本体(33)の外部に配設されて、該装置本体(33)に開設された取付孔(37)を介して前記収容空間(42)内で駆動伝達手段(47,48,50)として設けられた円環状部材(50)に接続する可動体(60)とを備え、
前記円環状部材(50)は、
前記取付孔(37)に内挿されて当該取付孔(37)の内周面に摺接する摺動筒部(53)と、
外周面から径方向外方へ延出するよう形成され、前記摺動筒部(53)を取付孔(37)に内挿させた状態で、当該取付孔(37)の開口縁部から前記収容空間(42)内へ突出するよう前記装置本体(33)に設けられた第１環状リブ(37a)に摺接する摺接片(51)と、
後端部から径方向内方へ延出するよう形成され、前記取付孔(37)の開設位置で開口する円形の連結孔(50a)を形成する固定片(54)と、
前記固定片(54)に設けられて前記取付孔(37)の開口内側に臨む第１係合固定部(54a)と、
前記第１環状リブ(37a)に対向する前記装置本体(33)の平板部(40)に摺接する第２環状リブ(50b)とを備え、
前記円環状部材(50)の摺接片(51)が第１環状リブ(37a)に摺接すると共に前記第２環状リブ(50b)が平板部(40)に摺接した状態で、前記駆動手段(45)の駆動に伴って円環状部材(50)が前記連結孔(50a)の開口中心を中心として回転するよう構成され、
前記可動体(60)は、
前記取付孔(37)を介して収容空間(42)内に挿入され、前記円環状部材(50)の固定片(54)により形成された前記連結孔(50a)に嵌合する円筒状連結部(110)と、
前記円環状部材(50)の第１係合固定部(54a)と対応した位置に形成されて、当該第１係合固定部(54a)と係合し、当該第１係合固定部(54a)との係合により前記円環状部材(50)の周方向に対して円筒状連結部(110)を位置決めする第２係合固定部(111)とを備え、
前記円筒状連結部(110)が円環状部材(50)の連結孔(50a)に嵌合すると共に前記第１および第２係合固定部(54a,111)が係合する状態で、当該円筒状連結部(110)が円環状部材(50)に連結されて、該円環状部材(50)と一体的に可動体(60)が装置本体(33)の外部で回転するよう構成されたことを要旨とする。
【０００８】
このように、駆動手段の駆動時に、可動体が連結固定される円環状部材が装置本体の内面に摺接した状態で回転するよう構成したから、該円環状部材を一定の平面上で安定して回転させ得る。これにより、前記円環状部材に伴って回転する可動体のブレが抑制されて、該可動体の動作安定性の向上が図られると共に、可動体と円環状部材との連結部分に掛かる負荷を軽減することが可能となる。また、前記円環状部材に形成された連結孔に可動体の円筒状連結部を嵌合した状態で連結することで、回転軸の端部に可動部材を連結する構成と較べて可動体の動作安定性を向上することができる。更に、前記円環状部材に形成した摺動筒部が、装置本体に形成された取付孔の内周端面に摺動するよう構成したことで、駆動手段の駆動時に円環状部材を一定位置で回転させ得るから、可動体の動作安定性を一層向上することができる。また、前記円環状部材の連結孔内部に形成した第１係合固定部と、前記可動体の円筒状連結部に形成した第２係合固定部とを係合することで、前記可動体の円筒状連結部を前記円環状部材に対して周方向の位置決めすることできるから、円環状部材と可動体との一体性を高め、可動体の動作安定性の向上を図り得る。
【０００９】
請求項２に係る発明は、前記可動体(60)は、前記円筒状連結部(110)の径方向内側に、当該円筒状連結部(110)と同心状に延在する配線巻き付け部(112)が形成されて、当該配線巻き付け部(112)および円筒状連結部(110)の間に環状空間(113)が画成され、
前記可動体(60)に配設された電気部品(66,68,71,78,81)に接続されたフラットケーブル(130)を、前記環状空間(113)内で前記配線巻き付け部(112)に一定方向に巻き付けて、前記可動体(60)の回転に伴い配線巻き付け部(112)に巻き付けたフラットケーブル(130)が弛緩および収縮することで、当該可動体(60)の往復回転運動を許容するよう構成すると共に、
前記装置本体(33)の前記平板部(40)に、前記取付孔(37)と開口中心が整列する孔部(41)が形成され、当該孔部(41)を介して装置本体(33)から延出する前記配線巻き付け部(112)の端部に、当該配線巻き付け部(112)から径方向外方へ延出する透明な円板状カバー部材(115)が取り付けられることを要旨とする。
このように、可動体に配設された電気部品に接続したフラットケーブルを、可動体の配線巻き付け部に一定方向に巻き付けることで、可動体の回転に伴いフラットケーブルが収縮・弛緩するよう撓む。このため、可動体の回転に伴いフラットケーブルに対して屈曲する負荷が掛からないから、ケーブル内部の導線の断線を防止でき、当該可動体を繰り返し往復回転運動させ得る。また、円筒状カバーを透明としたので、該円筒状カバーを取り外すことなく環状空間の内部を目視して、可動体の回転動作に伴うフラットケーブルの動き(収縮・弛緩する様子)を確認できる。
【００１０】
請求項３に係る発明は、前記装置本体(33)における前記可動体(60)の配設側の外面に前記駆動手段としての駆動モータ(45)が設置されて、該駆動モータ(45)の駆動軸が収容空間(42)内に臨むよう構成されると共に、該駆動軸に駆動歯車が取り付けられ、
前記駆動伝達手段は、前記装置本体(33)の内部で回転可能に支持された平歯車(48)を備え、該平歯車(48)が前記駆動モータ(45)の駆動歯車(47)と噛合すると共に、前記円環状部材(50)の外周面に形成された外周歯車部(52)と噛合するよう構成されたことを要旨とする。
このように、駆動伝達手段として平歯車を採用することで、可動演出装置の駆動伝達手段を複雑な構成とする必要がない。しかも、歯車の噛み合わせの関係から駆動伝達手段に「遊び」が生じても、前記円環状部材を一定の平面上で安定して回転させ得るから、可動体の動作安定性を損なうことはない。また、駆動手段としての駆動モータを、前記装置本体における前記可動体の配設側の外面に設置することで、可動演出装置のコンパクト化を図り得る利点がある。
【００１１】
請求項４に係る発明は、前記円環状部材(50)には、径方向外方へ延出する位置検出片(55)が形成されると共に、前記装置本体(33)における前記収容空間(42)の内部に、該円環状部材(50)の径方向外方に離間する位置に位置検出センサ(56)が配設され、当該円環状部材(50)の回転に伴って位置検出センサ(56)が位置検出片(55)を検出するよう構成されたことを要旨とする。
このように、前記円環状部材に径方向外方へ延出するよう位置検出片を形成して位置検出センサで検出するよう構成したことで、前記装置本体の収容空間を円環状部材の厚み分だけ確保すれば円環状部材を設置でき、可動演出装置のコンパクト化を図り得る。
【発明の効果】
【００１３】
本発明に係る遊技機によれば、可動演出装置の可動体を安定して動作させることができる。
【図面の簡単な説明】
【００１４】
【図１】本発明の実施例に係るパチンコ機を示す正面図である。
【図２】実施例に係る遊技盤を示す正面図である。
【図３】実施例に係る設置部材を示す正面図であって、可動ベース体が第１位置に保持されると共に、第１および第２演出体が基準位置にある状態を示す。
【図４】実施例に係る左側の可動演出装置を示す正面図であって、可動ベース体が第１位置に保持されると共に、第１および第２演出体が基準位置にある状態を示す。
【図５】実施例に係る左側の可動演出装置の配設位置を拡大して示す設置部材の正面図であって、(a)は装飾被覆部材が第２演出体を被覆した状態を示し、(b)は(a)において装飾被覆部材を取り外した状態を示す。
【図６】実施例に係る左側の可動演出装置の配設位置を拡大して示す設置部材の正面図であって、(a)は装飾被覆部材が第１演出体を被覆した状態を示し、(b)は(a)において装飾被覆部材を取り外した状態を示す。
【図７】実施例に係る可動演出装置における装置本体と可動ベース体との分解図であって、装置本体は正面から見た状態を示し、可動ベース体は背面から視た状態を示している。
【図８】図４のＡ−Ａ線断面図である。
【図９】実施例に係る可動演出装置の装置本体を正面から見た状態で示す分解斜視図である。
【図１０】図４のＡ−Ａ線断面での各構成部品の分解図である。
【図１１】実施例に係る円環状部材を示す斜視図であって、(a)は正面側から視た状態を示し、(b)は背面側から視た状態を示す。
【図１２】実施例に係る可動演出装置の背面図であって、フラットケーブルを押さえる配線押さえ部材の設置位置を拡大して示す。
【図１３】実施例に係る可動ベース体を示す分解斜視図であって、モータカバーおよび発光装飾カバーを省略して示す。
【図１４】実施例に係るベース本体の基体部と、円環状部材との関係を示す斜視図である。
【図１５】実施例に係るベース本体の基体部および蓋体を示し、(a)は基体部を第１演出体の配設側から視た図であり、(b)は蓋体を第２演出体の配設側から視た図である。
【図１６】実施例に係るベース本体の基体部および蓋体を示し、(a)は基体部を第２機構収容空間の内側から視た図であり、(b)は蓋体を第２機構収容空間の内側から視た図である。
【図１７】実施例に係る第１演出体の分解斜視図であって、(a)は背面側から視た状態を示し、(b)は正面側から視た状態を示す。
【図１８】実施例に係る第１演出体用ＬＥＤ基板と、第１演出体における第１回転支持ベース体との関係を示す説明図であって、(a)は第１演出体が基準位置にある状態を示し、(b)は第１演出体が基準位置から所定角度回転した状態を示す。
【図１９】実施例に係る第２演出体用ＬＥＤ基板と、第２演出体における第２回転支持ベース体との関係を示す説明図であって、(a)は第２演出体が基準位置にある状態を示し、(b)は第２演出体が基準位置から所定角度回転した状態を示す。
【図２０】実施例に係る可動ベース体の動作を背面側から視た状態で示す説明図であって、(a)は可動ベース体が第１位置にある状態を示し、(b)は可動ベース体が第２位置にある状態を示す。
【図２１】実施例に係る第１演出体および第２演出体の動作を示す説明図である。
【図２２】実施例に係る配線巻き付け部にフラットケーブルを巻き付けた状態を示す説明図であって、(a)は可動ベース体が第１位置にある状態を示し、(b)は可動ベース体が第２位置にある状態を示す。
【図２３】図４のＡ−Ａ線断面図であって、実施例に係る円環状部材と円筒状連結部との連結部分を拡大して示す。
【発明を実施するための形態】
【００１５】
次に、本発明に係る遊技機につき、好適な実施例を挙げて、添付図面を参照しながら以下詳細に説明する。なお、各実施例では、遊技球としてパチンコ球を用いて遊技を行なうパチンコ機を例に挙げて説明する。また、以下の説明において、「前」、「後」、「左」、「右」とは、特に断りのない限り、図１に示すようにパチンコ機１０を前側(遊技者側)から見た状態で指称する。
【実施例】
【００１６】
(パチンコ機１０について)
実施例に係るパチンコ機１０は、図１に示すように、前後に開口する矩形枠状に形成されて遊技店の図示しない設置枠台に固定される固定枠としての外枠１１の開口前面側に、後述する遊技盤２０(図２参照)を着脱可能に保持する本体枠としての中枠１２が開閉および着脱可能に組み付けられて、該遊技盤２０の裏側に、各種図柄を変動表示可能な図柄表示装置１８が着脱可能に配設されている。また、前記中枠１２の前面側には、前記遊技盤２０を透視保護するガラス板等の透視保護体(図示せず)を備えた装飾枠としての前枠１３が開閉可能に組み付けられると共に、該前枠１３の下方にパチンコ球を貯留する下球受け皿１５が開閉可能に組み付けられる。なお、実施例では、前記前枠１３の下部位置に、パチンコ球を貯留する上球受け皿１４が一体的に組み付けられており、前枠１３の開閉に合わせて上球受け皿１４も一体的に開閉するよう構成される。また、前記中枠１２の右下方位置には、該中枠１２に配設された打球発射装置(図示せず)を作動する操作ハンドル１６が設けられており、該操作ハンドル１６の操作により打球発射装置が作動することで、前記上球受け皿１４に貯留されたパチンコ球が前記遊技盤２０に向けて発射されるようになっている。なお、実施例では、前記図柄表示装置１８として、各種図柄を表示可能な液晶パネルを収容ケースに収容した液晶表示装置が採用されるが、これに限られるものではなく、ドラム式の表示装置やドットマトリックス式の表示装置、７セグメントディスプレイ、その他の各種図柄を停止および変動表示可能な表示装置を採用し得る。また、前記上球受け皿１４は、前記前枠１３と別体に形成して中枠１２に対して開閉可能に組み付けるようにしてもよく、また上下の球受け皿の一方を省略して１つの球受け皿のみ設ける構成であってもよい。
【００１７】
(遊技盤２０について)
前記遊技盤２０は、図２に示すように、所定板厚の略矩形状に形成されたアクリルやポリカーボネート等の透明な合成樹脂材で形成された透明板であって、該遊技盤２０の表面に、略円形状に湾曲したレール２１が設けられて、該レール２１によりパチンコ球が流下可能な遊技領域２０ａが画成され、前記打球発射装置から発射されたパチンコ球が遊技領域２０ａ内に打ち出されるようになっている。また遊技盤２０には、前後に貫通する装着口(図示せず)が前記遊技領域２０ａ内に複数開設されて、各装着口に対して各種部品が前側から取り付けられると共に、遊技領域２０ａの最下部位置には、該遊技領域２０ａに打ち出されたパチンコ球を排出するアウト口２２が開設されている。また、前記遊技盤２０には、前記遊技領域２０ａ内に多数の遊技釘が植設されており、遊技領域２０ａを流下するパチンコ球が遊技釘に接触することでパチンコ球の流下方向を不規則に変化させたり、パチンコ球を一定方向に誘導するようになっている。なお、前記装着口の形成数や大きさは、遊技盤２０に対して取り付けられる各種部品の個数や配設位置等に応じて適宜決定される。
【００１８】
ここで、前記遊技盤２０には、前記遊技領域２０ａの略中央に、前後に開口する表示窓口２５ａが形成された枠状装飾体２５(図２参照)が取り付けられており、該枠状装飾体２５の表示窓口２５ａを介して図柄表示装置１８の表示面が遊技盤２０の前面側に臨むよう構成されている。前記枠状装飾体２５は、図２に示すように、前記装着口に沿って延在する環状に形成されると共に、上縁部から左右両側縁部に亘り、遊技盤２０の前面より前方に突出する庇状部２６が連続的に設けられており、前記遊技領域２０ａに打ち出されたパチンコ球を庇状部２６に沿って枠状装飾体２５の左右側部へ案内することで、該パチンコ球が表示窓口２５ａを横切って流下するのを規制している。なお、枠状装飾体２５には、前記表示窓口２５ａの開口下縁側にステージ２７が配設されると共に、該表示窓口２５ａの左側部に、遊技領域２０ａに開口して該遊技領域２０ａを流下するパチンコ球を取込んでステージ２７に案内する球導入部２７ａが設けられている。
【００１９】
また、枠状装飾体２５の下方には、図２に示すように、遊技領域２０ａを流下するパチンコ球が入賞可能な始動入賞装置２３や特別入賞装置２４が取り付けられている。そして、前記始動入賞装置２３の入賞口にパチンコ球が入賞することで、前記図柄表示装置１８に図柄を変動表示する図柄変動演出が展開され、該図柄変動演出の結果、図柄表示装置１８に所定の図柄組み合わせ(例えば同一図柄の３つ揃い等)で図柄が確定的に停止表示されると、所謂大当りが発生して前記特別入賞装置２４が開放し、遊技者が多数の賞球を獲得可能な機会が与えられるようになっている。
【００２０】
(設置部材２８について)
また、前記遊技盤２０の裏面には、前記図柄表示装置１８が取り付けられる設置部材２８(図３参照)が設けられている。前記設置部材２８は、略矩形状に形成されて前記遊技盤２０に対向する背面板２８ａと、該背面板２８ａの外周縁部から前方へ延出する上下および左右の画壁部２８ｂとから前方へ開口する略矩形箱状に形成されて、画壁部２８ｂの前端部を遊技盤２０の裏側に当接させた状態で固定されている。そして、前記設置部材２８における前記背面板２８ａの裏側に、前記図柄表示装置１８が着脱可能に取り付けられると共に、該背面板２８ａにおける図柄表示装置１８の表示面に対応する位置に、前後に開口する開口部２８ｃ(図３参照)が開設されており、該設置部材２８の開口部２８ｃに臨ませた図柄表示装置１８の表示面が前記枠状装飾体２５の表示窓口２５ａを介して遊技盤２０の前側から視認し得るようになっている。また、前記設置部材２８における背面板２８ａの前面側(すなわち、遊技盤２０と設置部材２８により画成される空間内)には、前記開口部２６ｃを囲繞するように各種の装飾部材２９や発光装置３０、可動演出装置３１が配設されており、前記遊技盤２０の盤面を透視して前面から視認し得るよう構成されている。すなわち、前記設置部材２８は、パチンコ機１０の遊技演出に関わる図柄表示装置１８や各種演出装置の設置手段として機能している。
【００２１】
図３に示すように、前記設置部材２８に形成された前記開口部２８ｃの下方には、前方へ開口する収容凹部２８ｄが形成されており、前記遊技盤２０と設置部材２８とを組み付けた際に、遊技盤２０に取り付けられた前記始動入賞装置２３や特別入賞装置２４が収容凹部２８ｄの内部に収容されるようになっている。そして、実施例に係る可動演出装置３１が、前記設置部材２８の開口部２８ｃの下方位置にあって前記収容凹部２８ｄを挟んだ左右側部に位置するよう前記背面板２８ａの前面に配設されている。また、前記設置部材２８には、前記可動演出装置３１の前方位置に装飾被覆部材１２０(後述)が配設されており、該装飾被覆部材１２０で可動演出装置３１を部分的に覆い隠すよう構成されている。
【００２２】
(可動演出装置３１について)
次に、実施例に係るパチンコ機１０の可動演出装置３１につき説明する。なお、実施例のパチンコ機１０では、前述のように前記収容凹部２８ｄを挟む左右側部に一対の可動演出装置３１,３１が配設されているが、左右対称の構成とされているので、以下の説明では左側に位置する可動演出装置３１を基準にして説明し、右側に位置する可動演出装置３１については詳細な説明を省略する。
【００２３】
前記可動演出装置３１は、図７、図８に示すように、第１機構収容空間４２(収容空間)が内部画成されると共に外部に第１駆動モータ４５(駆動手段)が設置された箱状の装置本体３３と、該装置本体３３の第１機構収容空間４２に収容され、第１駆動モータ４５に連繋接続する第１駆動伝達手段４７,４８,５０と、当該装置本体３３の外部に配設されると共に第１駆動伝達手段４７,４８,５０に連繋接続された可動ベース体６０(第１の可動体)とを備えており、制御装置からの制御信号に基づいて第１駆動モータ４５が駆動することで、可動ベース体６０が装置本体３３の外部で動作するよう構成されている。ここで、前記制御装置は、前記図柄表示装置１８を制御する制御装置であって、該図柄表示装置１８で行なわれる図柄変動演出に連動して可動ベース体６０を動作させ得るようになっている。なお、実施例の可動演出装置３１では、前記可動ベース体６０が装置本体３３の外部で回転動作するよう構成される。
【００２４】
(装置本体３３について)
前記装置本体３３は、図９、図１０に示すように、適宜形状の平板状に形成された平板部３５の外周縁から後方へ外周壁部３５ａが延出した第１ケース体３４と、該第１ケース体３４の平板部３５と整合する平板状に形成された平板部４０の外周縁から前方へ外周壁部４０ａが延出した第２ケース体３９とから構成される。そして、前記第１ケース体３４の外周壁部３５ａの後端を、第２ケース体３９の外周壁部４０ａの前端部に整合させた状態で両ケース体３４,３９をネジ止めすることで、前記第１機構収容空間４２が内部画成された箱状に形成される。そして、前記第２ケース体３９の平板部４０を前記設置部材２８の背面板２８ａに対向させた姿勢で、前記装置本体３３が設置部材２８にネジ止めされている。すなわち、前記第１ケース体３４の平板部３５が装置本体３３の前面をなし、第２ケース体３９の平板部４０が装置本体３３の後面をなしている。なお、以下の説明では、前記装置本体３３において、前記第１ケース体３４の平板部を前側平板部３５と指称し、第２ケース体３９の平板部を後側平板部４０と指称するものとする。ここで、前記可動ベース体６０は、前記装置本体３３の前側平板部３５の前面側に回転可能に配設されている。
【００２５】
また、前記装置本体３３の前側平板部３５には、図４、図７、図９に示すように、右下部位置に前記第１駆動モータ４５が取り付けられる第１モータ取付部３６が形成されると共に、前記第１機構収容空間４２に貫通する第１軸挿通孔３６ａが第１モータ取付部３６に形成されている。そして、前記第１軸挿通孔３６ａを介して駆動軸を第１機構収容空間４２に挿通させた姿勢で、前記第１モータ取付部３６(すなわち前側平板部３５)に前記第１駆動モータ４５が設置されている。すなわち、前記装置本体３３に対して、前記第１駆動モータ４５は、前記可動ベース体６０の配設側の外面(前側平板部３５の前面)に位置するよう設置されている。これにより、前記設置部材２８の背面板２８ａに対して前記可動演出装置３１(装置本体３３)の後面(後側平板部４０)が当接した状態で取り付けられるようになっている。
【００２６】
前記装置本体３３の前側平板部３５には、図７、図８に示すように、前記第１機構収容空間４２に開口する摺動支持孔３７(取付孔)が左上部位置に開設されており、該摺動支持孔３７を介して前記可動ベース体６０が第１機構収容空間４２内で前記第１駆動伝達手段４７,４８,５０(具体的には後述する円環状部材５０)に接続するようになっている。また、前記装置本体３３の後側平板部４０には、前記摺動支持孔３７と前後に整列する位置に、前記第１機構収容空間４２に開口する配線導出孔４１が形成されており、前記可動ベース体６０に設けられた配線巻き付け部１１２が配線導出孔４１(何れも後述)を介して装置本体３３の後方に突出するよう構成されている。なお、前記摺動支持孔３７の開口中心と、前記配線導出孔４１の開口中心とは前後方向(可動ベース体６０の回転軸線Ｌ１方向)に整列するよう形成されている。
【００２７】
(第１駆動伝達手段４７,４８,５０について)
前記第１駆動伝達手段４７,４８,５０は、図９に示すように、前記第１駆動モータ４５の駆動軸に取り付けられる第１駆動歯車(回転駆動部)４７と、前記装置本体３３の摺動支持孔３７に回転可能に支持される円環状部材５０と、該第１駆動歯車４７および円環状部材５０を接続する平歯車からなる第１従動歯車４８を備えている。なお、前記第１従動歯車４８は、前記装置本体３３の前側平板部３５および後側平板部４０に支持された回転支軸４８ａに対して自由回転可能に支持されている。また、実施例の第１駆動伝達手段４７,４８,５０では、連続的に噛合する前記第１従動歯車４８が複数(実施例では２つ)設けられており、一方の第１従動歯車４８が前記第１駆動歯車４７と噛合すると共に、他方の第１従動歯車４８が円環状部材５０の外周歯車部５２(後述)と噛合するよう構成されて、前記第１駆動モータ４５の回転駆動に伴い、第１駆動歯車４７および第１従動歯車４８を介して円環状部材５０が回転するよう構成される。
【００２８】
(円環状部材５０について)
図８〜図１１に示すように、前記円環状部材５０は、前記摺動支持孔３７の開設位置で前後に貫通する連結孔５０ａが開口するリング状に形成されて、前記装置本体３３の第１機構収容空間４２に前記円環状部材５０を設置した状態で、該円環状部材５０の前後の端面が前記装置本体３３の前側平板部３５および後側平板部４０の内面に摺接するよう構成されている。そして、前記円環状部材５０の外周面に前記外周歯車部５２が形成されており、該外周歯車部５２が前記第１従動歯車４８と噛合するようになっている。すなわち、前記第１駆動モータ４５を駆動した際に、前記円環状部材５０の前後の端面が装置本体３３の内面に摺接した状態で、該円環状部材５０が前記連結孔５０ａの開口中心を中心として回転するよう構成される。なお、前記外周歯車部５２は、前記円環状部材５０の外周面の略２／３(中心角度略２４０度)の範囲に亘って形成されており、前記可動ベース体６０の反転動作を許容するよう構成されている。
【００２９】
また、図１０、図１１に示すように、前記円環状部材５０の外周面には、前後方向の略中心から径方向外方へ延出する摺接片５１が形成されて、該円環状部材５０における摺接片５１の前側部分が前記装置本体３３の摺動支持孔３７に内挿されるようになっている。すなわち、前記円環状部材５０に形成された摺接片５１の前面が前記装置本体３３における前側平板部３５の内面に摺接している。ここで、前記装置本体３３における前側平板部３５には、前記摺動支持孔３７の開口縁部に、前記第１機構収容空間４２内に突出する第１環状リブ３７ａが形成されると共に、前記円環状部材５０の後端面には、外周縁に沿って後方へ突出する第２環状リブ５０ｂが形成されており、該第１環状リブ３７ａが摺接片５１に接触し、第２環状リブ５０ｂが前記装置本体３３の後側平板部４０に接触するようになっている。すなわち、前記第１環状リブ３７ａおよび第２環状リブ５０ｂを形成することで、前記円環状部材５０が回転する際の摺動抵抗を低減して、円環状部材５０のスムーズな回転を可能にしている。なお、前記外周歯車部５２は、前記摺接片５１より後方側に位置する外周面に形成されており(図８、図１０参照)、前記第１機構収容空間４２内で外周歯車部５２と第１従動歯車４８が噛合し得るよう構成されている。
【００３０】
また、前記円環状部材５０における前記摺接片５１の前側部分(以下、摺動筒部５３という)は、図８、図２３に示すように、前記装置本体３３の摺動支持孔３７の内周端面に外周面が摺接するよう形成されている。すなわち、前記摺動筒部５３が摺動支持孔３７の内周端面に摺接することで、前記円環状部材５０を回転した際に、該円環状部材５０の連結孔５０ａの開口中心が一定位置に保持される(可動ベース体６０の回転軸線Ｌ１が保たれる)ようになっている。また、前記円環状部材５０の外周面には、径方向外方へ延出する第１位置検出片５５が形成されると共に、前記装置本体３３の第１機構収容空間４２の内部には、該円環状部材５０の径方向外方に離間する位置に第１位置検出センサ５６(図９参照)が配設されており、当該円環状部材５０の回転に伴って第１位置検出センサ５６が第１位置検出片５５を検出し得るよう構成されている。なお、実施例では、前記可動ベース体６０に設けられた後述の第１演出体９０が前記設置部材２８の開口部２８ｃ側に位置する第１位置(図５参照)にある状態で、前記第１位置検出センサ５６が第１位置検出片５５を検出するよう構成され、該第１位置から可動ベース体６０が反転することで、可動ベース体６０に設けられた後述の第２演出体１００が設置部材２８の開口部２８ｃ側に位置する第２位置(図６参照)に変位するようになっている。
【００３１】
図１０、図１１に示すように、前記円環状部材５０の後端部には、前記連結孔５０ａの開口内側に延出する固定片５４が全周に亘って形成されている。そして、前記固定片５４の前面(すなわち連結孔５０ａの内部)に、前方へ開口する固定凹部５４ａ(第１係合固定部)が周方向に離間した複数箇所(実施例では３箇所)に形成されており、前記可動ベース体６０に形成された固定突部１１１(後述)を固定凹部５４ａに嵌合(係合)した状態でネジ止めされるようになっている。すなわち、前記固定凹部５４ａに固定突部１１１が嵌合することで、前記円環状部材５０の周方向に対する可動ベース体６０の位置決めがなされて、円環状部材５０の回転時に可動ベース体６０が円環状部材５０の周方向に位置ずれしないよう構成される。
【００３２】
(可動ベース体６０について)
次に、前記装置本体３３に対して支持された前記可動ベース体６０について説明する。前記可動ベース体６０は、図７、図８、図１０、図１３に示すように、前記装置本体３３の前側平板部３５に対向するよう配設されたベース本体６１と、該ベース本体６１に設けられて、装置本体３３に設けられた前記円環状部材５０に連結される円筒状連結部１１０とを備え、前記第１駆動モータ４５の駆動に伴い円筒状連結部１１０が回転することで、装置本体３３の前側平板部３５の前側で可動ベース体６０(ベース本体６１)が回転するよう構成される。すなわち、前記円筒状連結部１１０が可動ベース体６０の回転軸として機能している。また、前記円筒状連結部１１０は、前記ベース本体６１の後端面に設けられると共に、前記ベース本体６１は、該円筒状連結部１１０の径方向に長手が延在する平たい箱状に形成されている。そして、前記ベース本体６１において、前記円筒状連結部１１０の軸線Ｌ１の方向およびベース本体６１の長手方向に交差(直交)する一方の面に第１演出体９０が配設されると共に、他方の面に第２演出体１００が配設されている。ここで、前記第１演出体９０および第２演出体１００は、前記円筒状連結部１１０の回転軸線Ｌ２から径方向に偏倚する位置すると共に、該回転軸線Ｌ２の周方向に離間して位置している。すなわち、前記第１駆動モータ４５の駆動に伴って前記可動ベース体６０が回転した際に、前記第１演出体９０および第２演出体１００が前記円筒状連結部１１０を中心に周方向に回転移動するよう構成されている。
【００３３】
(ベース本体６１について)
前記ベース本体６１は、図１３〜図１６に示すように、略矩形状に形成された平板部６３の外周縁から外周壁部６２ａが延出した基体部６２と、該基体部６２の外周壁部６２ａで画成される開口を閉塞する蓋体部７５とから構成され、基体部６２と蓋体部７５とをネジ止めすることで、後述する第２駆動伝達手段８３,８４,８５,８６が収容される第２機構収容空間８０(収容空間)が内部画成された略矩形箱状に形成される。そして、前記基体部６２における平板部６３の長辺から延出した一方(後方)の外周壁部６２ａを前記装置本体３３の前側平板部３５に対向する姿勢で、前記可動ベース体６０が配置されている。なお、以下の説明では、前記可動ベース体６０(ベース本体６１)において、前記基体部６２の平板部を第１平板部６３と指称し、蓋体部７５における第１平板部６３に対向する平板状部分を第２平板部７６と指称するものとする。
【００３４】
ここで、前記第１演出体９０は、図８、図１０、図１３、図１７に示すように、前記ベース本体６１における第１平板部６３の外面側に配設されると共に、前記第２演出体１００は、該ベース本体６１における第２平板部７６の外面側に配設されている。そして、前記第１駆動モータ４５の駆動に伴って、前記第１演出体９０が前記設置部材２８の開口部２８ｃ側に位置すると共にベース本体６１を挟んで第２演出体１００が下方に位置する第１位置(図５参照)と、該第１位置から反転して第２演出体１００が設置部材２８の開口部２８ｃ側に位置すると共にベース本体６１を挟んで第１演出体９０が下方に位置する第２位置(図６参照)との間を往復回転するよう構成される。そして、前記第１位置にある状態では、前記遊技盤２０に設けた枠状装飾体２５の表示窓口２５ａを介して前記第１演出体９０が遊技盤２０の前側に露出し、前記第２位置にある状態では、枠状装飾体２５の表示窓口２５ａを介して前記第２演出体１００が遊技盤２０の前側に露出するようになっている。
【００３５】
前記可動ベース体６０のベース本体６１には、図１３に示すように、電気部品としての第２駆動モータ８１(第２駆動手段)が配設されると共に、該第２駆動モータ８１に連繋接続する第２駆動伝達手段８３,８４,８５,８６が配設されて、該第２駆動伝達手段８３,８４,８５,８６に前記第１演出体９０および第２演出体１００が接続されている。すなわち、実施例に係る可動演出装置３１では、前記第１駆動モータ４５の駆動により回転する可動ベース体６０に対して、前記第２駆動モータ８１の駆動により動作する第１演出体９０および第２演出体１００を備えている。
【００３６】
前記ベース本体６１の第１平板部６３には、前記第１位置にある状態を基準にした左端部近傍に前記第２駆動モータ８１が取り付けられる第２モータ取付部６４が形成されると共に、該第２モータ取付部６４に、前記第２機構収容空間８０に貫通する第２軸挿通孔６４ａが形成されている。そして、第２軸挿通孔６４ａを介して駆動軸を第２機構収容空間８０に挿通させた姿勢で、前記第２モータ取付部６４(すなわち第１平板部６３)に前記第２駆動モータ８１が設置されている。すなわち、前記第２駆動モータ８１は、前記ベース本体６１に対して前記第１演出体９０の配設側の外面(第１平板部６３の外面)に並んで位置するよう設置されている。なお、前記ベース本体６１には、前記第２駆動モータ８１を被覆して装飾するモータカバー６５が取り付けられており、該第２駆動モータ８１が遊技盤２０の前面に直接露出しないようになっている。
【００３７】
ここで、図４、図７に示すように、前記モータカバー６５は、少なくとも前記第２駆動モータ８１の前方および左右側方を囲繞するよう形成されると共に、前面側に光透過性の第１装飾レンズ６５ａが設けられている。そして、前記ベース本体６１における第１平板部６３に、前記モータカバー６５の内側で開口するよう光透過孔６３ａが形成されており、前記第２機構収容空間８０内に設置された電気部品としての第１発光装飾用ＬＥＤ基板６６(図１３、図１５参照)に設けられたＬＥＤ６６ａからの光が光透過孔６３ａを介して第１装飾レンズ６５ａに照射されるようになっている。
【００３８】
また、前記ベース本体６１の第１平板部６３には、図４に示すように、前記第１位置にある状態を基準にした右端部近傍に発光装飾カバー６７が配設されている。すなわち、実施例の可動ベース体６０では、前記モータカバー６５と発光装飾カバー６７の間に前記第１演出体９０が位置するよう配置されている。前記発光装飾カバー６７は、略矩形箱状に形成されて、その前面側に光透過性の第２装飾レンズ６７ａが設けられている。そして、前記発光装飾カバー６７の内部に、電気部品としての第２発光装飾用ＬＥＤ基板６８(図８参照)が設置されて、該第２発光装飾用ＬＥＤ基板６８に設けたＬＥＤ(図示せず)からの光が第２装飾レンズ６７ａを透過して前方へ照射されるようになっている。
【００３９】
(第２駆動伝達手段８３,８４,８５,８６について)
また、前記第２駆動伝達手段８３,８４,８５,８６は、図１３、図１６に示すように、前記第２駆動モータ８１の駆動軸に取り付けられる第２駆動歯車８３と、前記第１演出体９０および第２演出体１００に接続する可動軸部８５(第２回転軸)が連結される回転支持歯車８４(回転支持板)と、該第２駆動歯車８３および回転支持歯車８４を接続する平歯車からなる第２従動歯車８６とを備えており、該第２駆動伝達手段８３,８４,８５,８６を構成する第２駆動歯車８３、回転支持歯車８４および第２従動歯車８６の夫々が前記第２機構収容空間８０の内部に収容されている。なお、前記第２従動歯車８６は、前記ベース本体６１の第１平板部６３および第２平板部７６に支持された回転支軸４８ａに対して自由回転可能に支持されている。また、実施例の第２駆動伝達手段８３,８４,８５,８６では、連続的に噛合する前記第２従動歯車８６が複数(実施例では２つ)設けられており、一方の第２従動歯車８６が前記第２駆動歯車８３と噛合すると共に、他方の第２従動歯車８６が回転支持歯車８４と噛合するよう構成されて、前記第２駆動モータ８１の回転駆動に伴い、第２駆動歯車８３および第２従動歯車８６を介して回転支持歯車８４が回転するよう構成される。
【００４０】
ここで、前記可動軸部８５は、図８、図１０、図１３に示すように、前記回転支持歯車８４の中心を貫通した状態で、該可動軸部８５の中間位置が回転支持歯車８４に連結されて、該回転支持歯車８４の回転と一体的に可動軸部８５が回転するよう構成されている。そして、前記回転支持歯車８４における前記ベース本体６１の第１平板部６３側に対向した面側(一方面側)から突出した前記可動軸部８５が、該第１平板部６３に形成された軸支持部６９の通孔６９ａを貫通するよう挿通されて、該第１平板部６３から突出した可動軸部８５の端部(一方端部)に前記第１演出体９０が連結されている。また、前記回転支持歯車８４において前記ベース本体６１の第２平板部７６に対向する面側(他方面側)から突出した前記可動軸部８５は、該第２平板部７６に形成された軸挿通孔７７に挿通されて、該第２平板部７６から突出した可動軸部８５の端部(他方端部)に前記第２演出体１００が連結されている。すなわち、前記第１演出体９０および第２演出体１００の夫々は、制御装置からの制御信号に基づいて第２駆動モータ８１が駆動されるのに伴い前記可動軸部８５を中心として前記回転支持歯車８４(ベース本体６１)を挟んで同一方向に連動して動作(回転)するようになっている。
【００４１】
また、前記回転支持歯車８４から前記第１平板部６３側に突出した可動軸部８５には、図８、図１０、図２３に示すように、前記軸支持部６９を挟んで軸受け部７０が夫々介装されており、該可動軸部８５を回転自在に支持している。なお、前記軸受け部７０は、前記軸支持部６９の通孔６９ａに内挿される円筒部７０ａと、該円筒部７０ａの端部から径方向外方へ延出する係止片７０ｂとからなり、軸支持部６９の通孔６９ａに円筒部７０ａを内挿した際に、係止片７０ｂが軸受け部７０の端部に係止されることで、所定位置に保持されるようになっている。一方、前記第２平板部７６に形成された軸挿通孔７７は、前記可動軸部８５より大径な円形状開口とされ、該第２平板部７６の軸挿通孔７７が可動軸部８５に接触しないよう構成されている。
【００４２】
また、図８、図１０に示すように、前記可動軸部８５を通る軸線Ｌ２上に、前記円環状部材５０の連結孔５０ａの開口中心(円筒状連結部１１０の中心)を通る前記可動ベース体６０の回転軸線Ｌ１が位置すると共に、該可動軸部８５の中間位置で、可動ベース体６０の回転軸線Ｌ１が直交するよう設定されている。すなわち、前記第１駆動モータ４５の駆動に伴い前記可動ベース体６０が回転するのに伴い、前記第１演出体９０および第２演出体１００が可動ベース体６０の回転軸線Ｌ１を中心として同じ軌跡を描くよう回転すると共に、該第１駆動モータ４５の駆動と同時または個別に前記第２駆動モータ８１が駆動するのに伴って、前記可動軸部８５を中心として第１演出体９０および第２演出体１００が同一方向に回転する。このように、前記第１駆動モータ４５および第２駆動モータ８１の駆動を組み合わせることで、前記第１演出体９０および第２演出体１００が複合的および立体的に動作を行なう。
【００４３】
(第１演出体用ＬＥＤ基板７１について)
また、図８、図１０、図１３、図１５に示すように、前記ベース本体６１の第１平板部６３の外面側には、前記第１演出体９０との間に第１演出体用ＬＥＤ基板７１(第１発光手段、電気部品)が配設されている。前記第１演出体用ＬＥＤ基板７１には、前記軸支持部６９(可動軸部８５)と対応する位置に挿通孔７１ｂが形成されており、該第１演出体用ＬＥＤ基板７１を貫通するよう前記可動軸部８５が突出している。そして、前記第１演出体用ＬＥＤ基板７１における外面(第１平板部６３との対向面と反対側の面)に、前記可動軸部８５を中心として周方向に離間する位置に複数(実施例では３つ)のＬＥＤ(発光体)７１ａが、該可動軸部８５の軸方向に沿って第１演出体９０へ向けて光を照射するよう実装されている。ここで、前記第１演出体用ＬＥＤ基板７１の各ＬＥＤ７１ａは、前記可動軸部８５よりも後方側(円筒状連結部１１０側)に位置するよう第１発光装飾用ＬＥＤ基板６６に実装されており、前記第１演出体９０が後述する基準位置(図５、図６、図８等参照)に保持された状態で、各ＬＥＤ７１ａが第１演出体９０の第１反射面９９(後述)に対向して、該ＬＥＤ７１ａからの光を回転支持歯車８４(可動軸部８５)の径方向へ反射するよう構成されている(図８参照)。また、前記第１演出体用ＬＥＤ基板７１の外面には、前記ＬＥＤ７１ａよりも前記可動軸部８５の径方向外方位置に、前記第１演出体９０の基準位置を検出する第２位置検出センサ７２が設けられている。
【００４４】
(第２演出体用ＬＥＤ基板７８について)
そして、図８、図１０、図１３、図１５に示すように、前記ベース本体６１の第２平板部７６の外面側には、前記第２演出体１００との間に第２演出体用ＬＥＤ基板７８(第２発光手段、電気部品)が配設されている。前記第２演出体用ＬＥＤ基板７８には、前記軸支持部６９(可動軸部８５)と対応する位置に挿通孔７８ｂが形成されており、該第２演出体用ＬＥＤ基板７８を貫通するよう前記可動軸部８５が突出している。そして、前記第２演出体用ＬＥＤ基板７８における外面(第２平板部７６との対向面と反対側の面)に、前記可動軸部８５を中心として周方向に離間する位置に複数(実施例では３つ)のＬＥＤ(発光体)７８ａが、該可動軸部８５の軸方向に沿って第２演出体１００へ向けて光を照射するよう実装されている。ここで、前記第２演出体用ＬＥＤ基板７８の各ＬＥＤ７８ａは、前記可動軸部８５よりも後方側(筒状連結部側)に位置するよう第２発光装飾用ＬＥＤ基板６８に実装されており、前記第２演出体１００が後述する基準位置(図５、図６、図８等参照)に保持された状態で、各ＬＥＤ７８ａが第２演出体１００の第２反射面１０３(後述)に対向して、該ＬＥＤ７８ａからの光を回転支持歯車８４(可動軸部８５)の径方向へ反射するよう構成されている。
【００４５】
ここで、前記第１演出体用ＬＥＤ基板７１には、前記可動ベース体６０に配設される前記第２駆動モータ８１、第１発光装飾用ＬＥＤ基板６６、第２発光装飾用ＬＥＤ基板６８および第２演出体用ＬＥＤ基板７８の夫々から導出した配線が接続される。すなわち、前記第１演出体用ＬＥＤ基板７１は、可動ベース体６０に配設される各種電気部の中継接続基板としての機能を有している。そして、前記第１演出体用ＬＥＤ基板７１における第１平板部６３との対向面側に配設された接続コネクタ７３に、導線を被膜で覆ったフラットケーブル１３０が接続され、該フラットケーブル１３０が可動演出装置３１の外部に設けられた前記制御装置に接続されるようになっている。また、前記接続コネクタ７３は、前記可動軸部８５と円筒状連結部１１０との間に位置するよう配置されると共に、該接続コネクタ７３に接続されたフラットケーブル１３０が、第１演出体用ＬＥＤ基板７１と平行に後方へ導出されて、該円筒状連結部１１０に形成される配線巻き付け部１１２(後述)に巻き付けられるようになっている。このように、前記フラットケーブル１３０を配線巻き付け部１１２に巻き付けることで、前記可動ベース体６０の回転動作に伴ってケーブルに作用する負荷を軽減し、断線等の発生を防止している。
【００４６】
また、前記第１発光装飾用ＬＥＤ基板６６のＬＥＤ６６ａ、第２発光装飾用ＬＥＤ基板６８のＬＥＤ、第１演出体用ＬＥＤ基板７１のＬＥＤ７１ａおよび第２演出体用ＬＥＤ基板７８のＬＥＤ７８ａは、単独で発光(点灯・点滅)および消灯するよう発光制御されて、これら各基板のＬＥＤ６６ａ,７１ａ,７８ａを適宜発光させることで、多彩な発光演出を行ない得るようになっている。
【００４７】
(第１演出体９０について)
図１７に示すように、前記第１演出体(第２の可動体)９０は、前記可動軸部８５に取り付けられ、前記第１演出体用ＬＥＤ基板７１に対向する円板状の第１回転支持ベース体９１と、該第１回転支持ベース体９１に設けられて当該第１演出体用ＬＥＤ基板７１のＬＥＤ７１ａの光が透過する空間部９０ａを画成する非光透過性の外郭意匠体９４と、該外郭意匠体９４の外周面に開設された光透過部を備えている。前記第１回転支持ベース体９１は、その中心位置に形成された固定孔９１ａに前記可動軸部８５が連結されて、該可動軸部８５の回転に伴い第１回転支持ベース体９１が一体的に回転するようになっている。そして、前記第１回転支持ベース体９１における前記第１演出体用ＬＥＤ基板７１との対向面に、該基板側に突出する第２位置検出片９１ｂが形成されて、第１回転支持ベース体９１の回転に伴って当該基板に設けられた前記第２位置検出センサ７２が第２位置検出片９１ｂを検出するよう構成されている。
【００４８】
また、図１７、図１８に示すように、前記第１回転支持ベース体９１における可動軸部８５から径方向に離間する位置には、前記第２位置検出センサ７２が第２位置検出片９１ｂを検出する基準位置において、可動軸部８５の軸方向に開口する第１光透過窓９２が開設されている。そして、前記第１回転支持ベース体９１(第１演出体９０)が基準位置にある状態では、前記第１演出体用ＬＥＤ基板７１に配設された各ＬＥＤ７１ａが前記第１光透過窓９２に臨んで、各ＬＥＤ７１ａからの光が前記外郭意匠体９４との間の空間部９０ａに照射されるようになっている。ここで、前述のように、前記第１演出体用ＬＥＤ基板７１に配設されるＬＥＤ７１ａは、前記可動軸部８５よりも後方側(筒状連結部側)に偏って配置されているから、前記第１回転支持ベース体９１の回転に伴って前記第１光透過窓９２に臨むＬＥＤ７１ａの個数が変化する。また、前記第１回転支持ベース体９１における前記外郭意匠体９４の配設面側(第１演出体用ＬＥＤ基板７１との対向面と反対側の面)には、前記可動軸部８５を間に挟むように、前記可動ベース体６０の長手方向に離間して一対の固定突片９３,９３が突出形成されており、該一対の固定突片９３,９３に外郭意匠体９４が固定されるようになっている。なお、前記固定突片９３,９３の前面側には、前記外郭意匠体９４に形成される固定軸部９５ｂ,９５ｂが嵌合する嵌合凹部９３ａ,９３ａが形成されている。
【００４９】
前記外郭意匠体９４は、図１７に示すように、前記第１回転支持ベース体９１(第１演出体９０)が基準位置にある状態で前面側に位置する前部意匠体９５と、該前部意匠体９５の後方側を囲繞する後部意匠体９８と、該前部意匠体９５および後部意匠体９８の間に配設される中間意匠体９７とから構成されて、外郭意匠体９４の全体でスポットライト状の意匠を呈するよう形成されている。前記前部意匠体９５には、前記空間部９０ａ内に開口する発光部９５ａが形成されると共に、該発光部９５ａの内側(空間部９０ａ側)にレンズ部９６が配設されて、該レンズ部９６が前部意匠体９５と中間意匠体９７との間に挟持されるよう構成されている。ここで、前記発光部９５ａは、前記第１回転支持ベース体９１(可動軸部８５)に対して径方向に開口するよう開設されて、前記第１演出体９０が基準位置にある状態で、発光部９５ａが遊技盤２０の前方へ向くようになっている。また、前記前部意匠体９５における第１回転支持ベース体９１側の端部には、前記可動軸部８５を間に挟むよう前記後部意匠体９８側に突出する一対の固定軸部９５ｂ,９５ｂが形成されている。
【００５０】
前記中間意匠体９７は、図１７に示すように、前記発光部９５ａと対応する位置に、前記第１演出体９０が基準位置にある状態で前後方向に開口する区画孔９７ａが開設されると共に、該第１回転支持ベース体９１側の端部に、前記前部意匠体９５の各固定軸部９５ｂ,９５ｂを挿通可能な前側貫通孔９７ｂ,９７ｂが夫々対応して形成されている。そして、前記各固定軸部９５ｂ,９５ｂを前側貫通孔９７ｂ,９７ｂに対応して貫通するよう挿入することで、前記前部意匠体９５と中間意匠体９７との間に前記レンズ部９６を挟持した状態で組み付けられる。前記前部意匠体９５と中間意匠体９７とを組み付けた状態で、中間意匠体９７の区画孔９７ａが前記発光部９５ａの輪郭部に略整合するようになっている。
【００５１】
更に、前記後部意匠体９８は、図１７に示すように、前記前部意匠体９５側(第１演出体９０が基準位置にある状態で前方)および第１回転支持ベース体９１側に開口する導光凹部９８ａが形成されると共に、該第１回転支持ベース体９１側の端部に、前記中間意匠体９７の前側貫通孔９７ｂ,９７ｂに挿通された前記前部意匠体９５の各固定軸部９５ｂ,９５ｂを挿通可能な後側貫通孔９８ｂ,９８ｂが夫々対応して形成されている。そして、前記前部意匠体９５と中間意匠体９７とを組み付けた状態で、前記各固定軸部９５ｂ,９５ｂを対応する後側貫通孔９８ｂ,９８ｂに貫通するよう挿入することで、前記前部意匠体９５と後部意匠体９８との間に前記中間意匠体９７を挟持した状態で組み付けられ、これにより前記外郭意匠体９４が形成される。ここで、前記外郭意匠体９４を組み付けた状態で、前記後部意匠体９８の前端部は前記中間意匠体９７の後端部に全周に亘って当接するよう構成されている。すなわち、前記外郭意匠体９４の内部には、前記中間意匠体９７の区画孔９７ａおよび後部意匠体９８の導光凹部９８ａにより、前記可動軸部８５の軸方向に延在すると共に前記発光部９５ａ(レンズ部９６)に向けて可動軸部８５の径方向へ屈曲した略Ｌ字状の空間部９０ａが、第１回転支持ベース体９１側に開口した状態で形成されている。そして、前記各後側貫通孔９８ｂに挿通された前記各固定軸部９５ｂ,９５ｂを、前記第１回転支持ベース体９１に形成した前記各固定突片９３,９３の嵌合凹部９３ａ,９３ａに嵌合した状態でネジ止めすることで、第１回転支持ベース体９１と外郭意匠体９４とが固定されるようになっている。
【００５２】
ここで、図８、図１０、図２３に示すように、前記第１回転支持ベース体９１と外郭意匠体９４とを固定した状態で、該第１回転支持ベース体９１に形成された前記第１光透過窓９２が前記外郭意匠体９４に形成された空間部９０ａに開口するよう構成されている。従って、前記第１演出体用ＬＥＤ基板７１のＬＥＤ７１ａの光が、前記第１光透過窓９２を介して空間部９０ａ内に照射されるようになっている。また、前記空間部９０ａの内部には、前記略Ｌ字状に屈曲した屈曲位置に、前記第１光透過窓９２を介して空間部９０ａ内に照射された光を前記発光部９５ａ(レンズ部９６)へ向けて反射する第１反射面９９が設けられている。ここで、前記第１反射面９９は、平板鏡面状に形成されており、前記空間部９０ａ内に照射された光を第１反射面９９で一様に前記発光部９５ａ(レンズ部９６)へ向けて反射し得るよう構成されている。また、前記レンズ部９６には、ダイヤカットやシボ加工等の光拡散処理がなされており、第１反射面９９で反射された光を拡散して発光部９５ａを全体的に発光させ得るようになっている。なお、前記第１反射面９９は、前記中間意匠体９７と一体的に形成されている。
【００５３】
すなわち、前記第１光透過窓９２を介して空間部９０ａ内に照射された前記第１演出体用ＬＥＤ基板７１のＬＥＤ７１ａからの光は、前記第１反射面９９で反射されてレンズ部９６に照射されて発光部９５ａが発光すると共に、前記第１演出体９０の回転に伴って、レンズ部９６を透過した光(すなわち発光部９５ａからの光)の照射方向が回転移動する。なお、前記基準位置において、前記発光部９５ａが遊技盤２０の前方へ指向し、前記第１反射面９９の反射光が遊技盤２０の前方へ照射されるようになっている。また、前記基準位置から第１演出体９０が回転するのに伴い、前記第１光透過窓９２の内部に臨む第１演出体用ＬＥＤ基板７１のＬＥＤ７１ａの個数が変化することで、該第１演出体９０の回転に伴って前記第１反射面９９で反射される光の強さが変化するようになっている。すなわち、前記第１演出体９０の回転に伴って、レンズ部９６を透過した光の照射方向が回転移動するだけでなく、該レンズ部９６を透過する光(すなわち発光部９５ａからの光)の強さが変化することで、発光演出効果を高めている。
【００５４】
(第２演出体１００について)
図８、図１０、図１３、図２１に示すように、前記第２演出体(第２の可動体)１００は、前記可動軸部８５に取り付けられ、前記第２演出体用ＬＥＤ基板７８に対向する円板状の第２回転支持ベース体１０１と、該第２回転支持ベース体１０１に設けられた第２反射面１０３を備えている。前記第２回転支持ベース体１０１は、その中心位置に形成された固定孔１０１ａに前記可動軸部８５が連結されて、該可動軸部８５の回転に伴い第２回転支持ベース体１０１が一体的に回転するようになっている。ここで、前述したように、前記可動軸部８５に前記第１演出体９０および第２演出体１００が取り付けられていることから、該第１演出体９０に設けられた前記第２位置検出片９１ｂを前記第２位置検出センサ７２が検出することで、第１演出体９０と共に第２演出体１００の基準位置が判別される。
【００５５】
また、図１３、図１９に示すように、前記第２回転支持ベース体１０１における可動軸部８５から径方向に離間する位置には、前記第２位置検出センサ７２が第２位置検出片９１ｂを検出する基準位置において、可動軸部８５の軸方向に開口する第２光透過窓１０２が開設されている。そして、前記第２回転支持ベース体１０１(第２演出体１００)が基準位置にある状態(第２位置検出センサ７２が第２位置検出片９１ｂを検出した状態)では、前記第２演出体用ＬＥＤ基板７８に配設された各ＬＥＤ７８ａが前記第２光透過窓１０２に臨んで、各ＬＥＤ７８ａからの光が前記第２反射面１０３に照射されるようになっている。なお、前記基準位置において、前記第２反射面１０３が遊技盤２０の前方へ指向し、該第２反射面１０３の反射光が遊技盤２０の前方へ照射されるようになっている。ここで、前述のように、前記第２演出体用ＬＥＤ基板７８に配設されるＬＥＤ７８ａは、前記可動軸部８５よりも後方側(筒状連結部側)に偏って配置されているから、前記第２回転支持ベース体１０１の回転に伴って前記第２光透過窓１０２に臨むＬＥＤ７８ａの個数が変化する。
【００５６】
前記第２反射面１０３は、図８、図１０に示すように、前記第２回転支持ベース体１０１(第２演出体１００)が基準位置にある状態において、該第２回転支持ベース体１０１における後方側(筒状連結部側)の略半周の外周端縁から前記第２演出体用ＬＥＤ基板７８から離間する方向へ延出すると共に、延出端部に向けて可動軸部８５に沿った軸線Ｌ２に近接するよう湾曲する凹面状に形成されている。また、前記第２反射面１０３は、前記第２回転支持ベース体１０１の第２光透過窓１０２に臨んだ前記各ＬＥＤ７８ａの光照射方向前側に対向するよう構成されている。従って、前記第２演出体用ＬＥＤ基板７８のＬＥＤ７８ａの光は、前記第２光透過窓１０２を介して前記第２反射面１０３に照射されて、該第２反射面１０３で反射されるようになっている。なお、前記第２反射面１０３には。ダイヤカットやシボ加工等の光拡散処理がなされており、第２反射面１０３に照射された光を広範囲に拡散しつつ反射するようになっている。
【００５７】
ここで、図８、図１０、図１３に示すように、前記第２演出体１００は、前記ベース本体６１の第２平板部７６に配設された円筒状のカバー体１０４により外周全体が囲繞されている。すなわち、前記ベース本体６１の第２平板部７６に配設された前記カバー体１０４の内部に前記第２演出体１００が位置している。このため、前記第２演出体１００の回転に伴って、前記第２反射面１０３で反射された光が前記カバー体１０４に対して照射される照射位置が回転移動する。また、前記基準位置から第２演出体１００が回転するのに伴い、前記第２光透過窓１０２の内部に臨む第２演出体用ＬＥＤ基板７８のＬＥＤ７８ａの個数が変化することで、該第２演出体１００の回転に伴って前記第２反射面１０３で反射される光の強さが変化するようになっている。すなわち、前記第２演出体１００の回転に伴って、前記カバー体１０４に対して照射される光の照射位置が回転移動するだけでなく、該カバー体１０４に照射される光の強さが変化することで、発光演出効果を高めている。
【００５８】
このように、実施例に係る可動演出装置３１では、前記ベース本体６１の第１平板部６３側に配設される演出部品(モータカバー６５、発光装飾カバー６７、第１演出体９０)と、該ベース本体６１の第１平板部６３側に配設される演出部品(カバー体１０４、第２演出体１００)との外観的な見た目が異なるだけでなく、発光演出態様が異なっており、前記第１駆動モータ４５の駆動による可動ベース体６０の回転動作と、前記第２駆動モータ８１の駆動による第１演出体９０および第２演出体１００の回転動作と、各ＬＥＤ基板７１,７８のＬＥＤ７１ａ,７８ａの発光とを組み合わせることで、多彩な演出が行なわれる。
【００５９】
(円筒状連結部１１０について)
次に、前記可動ベース体６０に設けられた前記円筒状連結部１１０について説明する。
図７、図８、図１４に示すように、前記円筒状連結部１１０は、前記装置本体３３に設けられた前記円環状部材５０の連結孔５０ａに内挿可能な円筒状に形成されて後方へ開口すると共に、前記ベース本体６１の後端面側に設けられている。より具体的には、前記ベース本体６１の基体部６２と一体的に円筒状連結部１１０が形成されている。ここで、前記円筒状連結部１１０の外径寸法は、前記円環状部材５０に形成された固定片５４で画成される連結孔５０ａの内径寸法に略合致するよう設定されると共に、該円筒状連結部１１０の外周外側に、該円環状部材５０に設けられた前記固定凹部５４ａに対応して固定突部１１１(第２係合固定部)が夫々形成されている。すなわち、前記円筒状連結部１１０を円環状部材５０の固定片５４(連結孔５０ａ)の開口内側に嵌合させると共に、各固定突部１１１を固定凹部５４ａに嵌合させた状態で後方から円環状部材５０(固定片５４)と円筒状連結部１１０(固定突部１１１)とがネジ止めされる。これにより、前記円環状部材５０の回転に伴って前記回転支持ベース体が円筒状連結部１１０を中心として一体的に回転する。ここで、前記円環状部材５０と円筒状連結部１１０とを連結した状態では、円筒状連結部１１０の後端部が円環状部材５０の後端面と略同じ位置となるよう設定して、円環状部材５０の後方に円筒状連結部１１０が開口するようになっている。
【００６０】
また、図８、図１０、図１４、図２２、図２３に示すように、前記円筒状連結部１１０の内側には、該円筒状連結部１１０と同心円をなす配線巻き付け部１１２が形成されている。そして、前記円筒状連結部１１０と配線巻き付け部１１２との間に画成される環状空間１１３内において、前記可動ベース体６０に設けられた前記第１演出体用ＬＥＤ基板７１に接続するフラットケーブル１３０が巻き付けられている。すなわち、前記フラットケーブル１３０は、前記可動ベース体６０の回転軸線Ｌ１(円筒状連結部１１０の中心線)を中心に前記配線巻き付け部１１２に対して一定方向に巻き付けられており、該可動ベース体６０の回転に伴い配線巻き付け部１１２に巻き付けたフラットケーブル１３０の巻き付けが弛んだり(弛緩)、巻き取られる(収縮)ことで、当該可動ベース体６０の往復回転運動を許容している。このように、前記円筒状連結部１１０は、前記配線巻き付け部１１２の径方向外側に、該配線巻き付け部１１２と同心状に延在する環状ガイドとしての機能を備えており、可動ベース体６０の回転に伴って弛緩したフラットケーブル１３０が環状空間１１３の外部にはみ出るのを規制している。
【００６１】
ここで、前記円筒状連結部１１０には、図８、図１０、図１３、図１５、図２３に示すように、前記ベース本体６１の第１平板部６３の外面側に対応して、前側(第１演出体用ＬＥＤ基板７１側)および円筒状連結部１１０の径方向外方に開口する配線切欠部１１４が形成されている。すなわち、前記接続コネクタ７３から前記第１演出体用ＬＥＤ基板７１と平行に後方へ導出された前記フラットケーブル１３０が、前記配線切欠部１１４を介して前記環状空間１１３内に挿入されると共に、該環状空間１１３内で９０°屈曲するよう折曲げられることで、該環状空間１１３内で配線巻き付け部１１２に巻き付けられている。
【００６２】
また、図８、図１０、図１５、図１６、図２３に示すように、前記配線巻き付け部１１２は、前記円筒状連結部１１０の後端部よりも後方へ延出するよう形成されて、前記装置本体３３(第２ケース体３９)に開設された配線導出孔４１を介して装置本体３３の後方へ突出している。また、前記配線巻き付け部１１２の後端部(延出端部)には、該配線巻き付け部１１２から径方向外方へ延出する大きさの円板状に形成された円板状カバー部材１１５が取り付けられている。すなわち、前記円筒状連結部１１０と配線巻き付け部１１２との間に画成された前記環状空間１１３の後方開口が、前記円板状カバー部材１１５で部分的に塞がれて、前記装置本体３３の後方側で円筒状連結部１１０の径方向外方へ開口するよう構成されている。これにより、前記フラットケーブル１３０における前記配線巻き付け部１１２に巻き付けられたケーブル部分が環状空間１１３から脱落するのを防止している。また、前記円板状カバー部材１１５は、透明な合成樹脂板により形成されており、該円板状カバー部材１１５を介して前記配線巻き付け部１１２に巻き付けられたフラットケーブル１３０を裏側から目視し得るようになっている。
【００６３】
そして、前記配線巻き付け部１１２に巻き付けたフラットケーブル１３０が、前記円筒状連結部１１０の後端部と円板状カバー部材１１５との間の隙間を介して前記装置本体３３の後方側に導出されて、前記制御装置に接続されるようになっている。なお、前記装置本体３３(第２ケース体３９)の後側平板部４０の後面(設置部材２８の背面板２８ａとの対向面)に配線凹部１１７が形成されており(図１２参照)、該配線凹部１１７を通すよう前記フラットケーブル１３０を誘導することで、装置本体３３と設置部材２８との間でのケーブルの挟み込みを防止している。また、前記フラットケーブル１３０は、前記配線導出孔４１の近傍において配線押さえ部材１１８により前記装置本体３３の後側平板部４０との間で挟持固定されている。すなわち、前記フラットケーブル１３０は、前記環状空間１１３の外部近傍において前記装置本体３３(配線押さえ部材１１８)および可動ベース体６０(接続コネクタ７３)の夫々に固定されることで、配線巻き付け部１１２に巻き付けられたケーブル部分のみが可動ベース体６０の回転に伴って環状空間１１３内で弛緩および収縮するようになっている。
【００６４】
(設置部材２８の装飾被覆部材１２０について)
次に、前記設置部材２８に配設された前記装飾被覆部材１２０について説明する。前記装飾被覆部材(被覆部材)１２０は、図８、図２３に示すように、前記可動ベース体６０が第１位置に回転変位された状態において前記第２演出体１００の前面側を被覆すると共に、該可動ベース体６０が第２位置に回転変位された状態において前記第１演出体９０の前面側を被覆するよう構成されている。すなわち、前記前記可動ベース体６０が第１位置および第２位置に回転変位することで、前記枠状装飾体２５の表示窓口２５ａを介して第１演出体９０が単独で遊技盤２０の前面側に露出する状態と、該表示窓口２５ａを介して第１演出体９０が単独で遊技盤２０の前面側に露出する状態とに切り替わるようになっている。このように、前記枠状装飾体２５の表示窓口２５ａに臨む演出体９０,１００を切替えることで、パチンコ機１０の印象(イメージ)を大きく変え得るようになっている。なお、前記可動ベース体６０が第１位置にある状態では、該可動ベース体６０に設けられた前記モータカバー６５や発光装飾カバー６７も枠状装飾体２５の表示窓口２５ａの内側に位置して前記ステージ２７上方に臨むと共に、可動ベース体６０が第２位置にある状態では、モータカバー６５や発光装飾カバー６７の前側が前記装飾被覆部材１２０で覆われるようになっている。なお、前記枠状装飾体２５の表示窓口２５ａに臨んだ前記第１演出体９０、第２演出体１００、モータカバー６５および発光装飾カバー６７は、前記ステージ２７の後壁をなす透明な規制壁部材２７ｂ(図２参照)と部分的に前後に重なっている。
【００６５】
また、前記装飾被覆部材１２０は、光透過性の合成樹脂材で形成されると共に、該装飾被覆部材１２０の表面に塗装やメッキ処理等の非光透過部１２１が部分的に形成されている(図５、図６参照)。また、前記装飾被覆部材１２０は、前記遊技盤２０においてパチンコ球が流下する遊技領域２０ａの後方に位置するよう配置されている。従って、前記装飾被覆部材１２０において非光透過部１２１を除く領域(すなわち可視部１２２)を介して、該装飾被覆部材１２０の裏側を遊技盤２０の前側から視認し得るようになっている。すなわち、前記可動ベース体６０が第１位置に回転変位された状態においては、前記枠状装飾体２５の表示窓口２５ａを介して第１演出体９０が直接視認される一方で、前記装飾被覆部材１２０の可視部１２２を介して前記第２演出体１００が視認される。そして、可動ベース体６０が第２位置に回転変位された状態においては、枠状装飾体２５の表示窓口２５ａを介して第２演出体１００が直接視認される一方で、装飾被覆部材１２０の可視部１２２を介して第１演出体９０が視認されるようになっている。ここで、実施例では、有色透明樹脂板から形成された装飾被覆部材１２０の表面に、塗装により升目の細かな格子状の非光透過部１２１が形成されており、前記枠状装飾体２５の表示窓口２５ａを介して直接視認される演出体に較べて、装飾被覆部材１２０で覆われた演出体の視認性が劣るようになっており、隠された演出体９０,１００が部分的に視認されることで、遊技演出の展開に対する意外性や期待感を高めている。
【００６６】
(実施例の作用)
次に、前述のように構成された実施例に係るパチンコ機１０の作用につき説明する。
【００６７】
前記遊技盤２０に設けたレール２１に沿って遊技領域２０ａに打ち出されたパチンコ球は、遊技盤２０上に設けた遊技釘等に接触して流下方向を変更しながら流下する。そして、前記遊技領域２０ａを流下するパチンコ球が前記始動入賞装置２３に入賞すると、前記制御装置の制御に基づいて前記図柄表示装置１８での図柄変動演出が開始され、図柄変動演出の結果、図柄表示装置１８に所定の図柄組み合わせが表示されると大当りが発生する。大当りが発生すると、図柄表示装置１８に表示された図柄組み合わせに応じて、前記遊技盤２０の下方に設けられた特別入賞装置２４が開放されると共に、前記制御装置の制御に基づいて図柄表示装置１８において大当り遊技演出が行なわれる。
【００６８】
そして、前記図柄表示装置１８で展開される図柄変動演出や大当り遊技演出等に合わせて、前記制御装置からの制御信号に基づいて前記可動演出装置３１が作動されて、前記可動ベース体６０や第１演出体９０および第２演出体１００を回転させて動作演出が行なわれる。また、前記可動演出装置３１では、前記図柄表示装置１８で展開される図柄変動演出や大当り遊技演出等に合わせて、前記各ＬＥＤ基板６６,６８,７１,７８のＬＥＤ６６ａ,７１ａ,７８ａが前記制御装置からの制御信号に基づいて発光されて、発光演出が行なわれるようになっている。
【００６９】
ここで、前記可動演出装置３１の動作および発光につき説明する。前記可動演出装置３１では、装置本体３３に配設した第１駆動モータ４５の駆動に伴って、装置本体３３の前側平板部３５および後側平板部４０の内面に摺接した状態で円環状部材５０が回転する。従って、可動ベース体６０が連結固定される円環状部材５０が回転に伴って前後に変位するのが規制されるから、一定の平面上で円環状部材５０を安定して回転させ得る。これにより、前記円環状部材５０に伴って回転する可動ベース体６０のブレが抑制されて、該可動ベース体６０の動作安定性が向上する。また、前記可動ベース体６０の安定性が向上することで、該可動ベース体６０と円環状部材５０との連結部分(具体的には固定凹部５４ａおよび固定突部１１１)に掛かる負荷を軽減することができ、該連結部分の損傷を防止し得る。また、前記円環状部材５０に形成された連結孔５０ａに可動ベース体６０の円筒状連結部１１０を嵌合した状態で連結することで、棒状の回転軸の端部に可動部材を連結して回転動作させる構成と較べて、可動ベース体６０の動作安定性を向上させることができる。
【００７０】
また、前記可動ベース体６０を回転動作させる駆動伝達手段として平歯車からなる第１駆動歯車４７および第２従動歯車８６を採用することで、駆動伝達手段を複雑な構成とする必要がない。ここで、駆動伝達手段として歯車を採用する場合には、歯車の噛み合わせの関係から駆動伝達手段に「遊び」が生ずることは避け難く、この「遊び」に起因して動作時に振動が生じやすい。これに対して、実施例では、前記円環状部材５０が装置本体３３の前側平板部３５および後側平板部４０の内面に摺接することで、該円環状部材５０を一定の平面上で安定して回転させ得るから、可動ベース体６０のブレや振動を抑制して動作安定性を高めることができる。更に、前記円環状部材５０は、前記装置本体３３の前側平板部３５に形成された摺動支持孔３７に摺動筒部５３が内装されて、該摺動筒部５３が摺動支持孔３７の内周端面に摺動するよう構成したことで、第１駆動モータ４５の駆動時に円環状部材５０が径方向に移動するのを規制して一定位置で回転させ得る。このように、前記可動ベース体６０の回転中心が一定位置で安定するから、可動ベース体６０の動作安定性を一層向上することができる。
【００７１】
更に、前記円環状部材５０の連結孔５０ａに可動ベース体６０の円筒状連結部１１０を嵌合すると共に、該連結孔５０ａ内部に形成された固定凹部５４ａに対して円筒状連結部１１０に形成された固定突部１１１を嵌合させた状態で円環状部材５０と可動ベース体６０とが連結固定されるから、当該円環状部材５０と可動ベース体６０との連結強度が向上する。また、前記可動ベース体６０の円筒状連結部１１０が前記円環状部材５０に対して周方向に位置決めされることできるから、円環状部材５０と可動ベース体６０との一体性を高め、可動ベース体６０の動作安定性の向上を図り得る。
【００７２】
また、前記駆動伝達手段として平歯車からなる第１駆動歯車４７および第１従動歯車４８を採用すると共に、前記円環状部材５０に径方向外方へ延出するよう形成した第１位置検出片５５を第１位置検出センサ５６で検出するよう構成したことで、前記装置本体３３の第１機構収容空間４２の前後幅を円環状部材５０の厚み分に合わせた寸法程度だけ確保すれば、該円環状部材５０を設置することが可能となる。すなわち、前記装置本体３３の薄型化が実現され、可動演出装置３１(装置本体３３)のコンパクト化を図り得る。そして、実施例の可動演出装置３１では、前記装置本体３３における前記可動ベース体６０の配設側の外面(前側平板部３５の前面)に前記第１駆動モータ４５も設置してあるから、装置全体をよりコンパクト化し得る。
【００７３】
また、前記可動ベース体６０には、該可動ベース体６０のベース本体６１に配設された第２駆動モータ８１の駆動に伴い回転支持歯車８４の中心に可動軸部８５を貫通するよう設けて、該可動軸部８５における突出した両端部に第１演出体９０および第２演出体１００を配設するよう構成したことで、該第２駆動モータ８１の駆動に伴い第１演出体９０および第２演出体１００の夫々を一体的に連動して動作させることができる。すなわち、１つの回転軸に対して１つの可動部材を取り付ける場合と較べて、一度に第１演出体９０および第２演出体１００を回転動作させることができるから、可動演出装置３１による装飾性や演出態様を多様化して遊技演出の興趣を高めることができる。また、１つの可動軸部８５に第１演出体９０および第２演出体１００が取り付けたことで、２つの演出体９０,１００を作動するのに必要な機構を必要最小限に抑えることができ、可動ベース体６０(ベース本体６１)に配設される他の遊技部品の設置スペースを圧迫するのを防止できる。
【００７４】
更に、前記第１演出体９０および第２演出体１００の夫々を、前記回転支持歯車８４の中心を貫通する可動軸部８５の両端部に取り付けることで、前記第２駆動モータ８１に接続する第２駆動伝達手段８３,８４,８５,８６を収容するベース本体６１を挟んで第１演出体９０および第２演出体１００を配置することができる。すなわち、前記ベース本体６１(第２駆動伝達手段８３,８４,８５,８６)を挟んで第１演出体９０および第２演出体１００が回転する従来にない新しい動作態様を実現できるから、可動演出装置３１による装飾性の向上や演出態様の多様化が図られる。
【００７５】
ここで、前記第１駆動モータ４５の駆動に伴い前記円筒状連結部１１０(円環状部材５０)を中心に回転する可動ベース体６０に、該円筒状連結部１１０(円環状部材５０)の回転軸線Ｌ１と交差する方向に延在する可動軸部８５を中心に回転する第１演出体９０および第２演出体１００を配設して、第２駆動モータ８１の駆動に伴って第１演出体９０および第２演出体１００が回転するよう構成されている。すなわち、前記第１演出体９０および第２演出体１００の夫々は、前記第１駆動モータ４５および第２駆動モータ８１の駆動を適宜組み合わせることで、前記円筒状連結部１１０(円環状部材５０)を中心とした可動ベース体６０の回転動作と、可動軸部８５を中心とした回転動作とを合成した複合的・立体的な動作が実現され、可動演出装置３１による装飾性の向上や演出態様の多様化を図ることが可能となる。そして、前記円筒状連結部１１０(円環状部材５０)と可動軸部８５とを、該円筒状連結部１１０(円環状部材５０)の回転軸線Ｌ１が前記可動軸部８５に対して直交すると共に可動軸部８５の中間位置を通過する関係で構成しているから、可動ベース体６０の回転時には、該可動ベース体６０の回転中心を挟んで第１演出体９０および第２演出体１００が位置する状態で回転する複合的・立体的な動作を実現できる。
【００７６】
また、前記可動演出装置３１は、前記可動ベース体６０が第１位置にある状態において第２演出体１００の前面側が装飾被覆部材１２０で被覆され、該可動ベース体６０が第２位置にある状態において第１演出体９０の前面側が装飾被覆部材１２０で被覆されるよう構成されている。すなわち、前記第１駆動モータ４５の駆動に伴って前記可動ベース体６０が第１位置および第２位置に回転することで、パチンコ機１０の前面側に露出する演出体が第１演出体９０および第２演出体１００に切り替わる。このように、前記第１駆動モータ４５の駆動に伴った可動ベース体６０の動作と、前記第２駆動モータ８１の駆動に伴った第１演出体９０および第２演出体１００の動作を組み合わせた複合的・立体的な動作と合わせて、遊技盤２０の前面側に露出する演出体が切替えられることで、可動演出装置３１による装飾性が一段と向上するだけでなく、演出態様の多様化が図られる。また、実施例では、前記可動ベース体６０(ベース本体６１)における第１平板部６３側の意匠(第１演出体９０、モータカバー６５および発光装飾カバー６７)と、可動ベース体６０(ベース本体６１)における第２平板部７６側の意匠(第２演出体１００およびカバー体１０４)とを全く異なる外観としたことで、遊技盤２０の前面側に露出する演出体が第１演出体９０および第２演出体１００に切り替わることにより遊技者に全く異なった印象を与えることができる。
【００７７】
また、前記装飾被覆部材１２０で被覆された第１演出体９０や第２演出体１００は、該装飾被覆部材１２０に設けた可視部１２２を介して遊技盤２０の前側から透視し得るよう構成されているから、当該装飾被覆部材１２０で覆われた第１演出体９０や第２演出体１００によっても遊技盤２０を装飾することができる。このとき、前記装飾被覆部材１２０に非光透過部１２１を形成してあるから、遊技盤２０の前面側に直接露出した第１演出体９０(第２演出体１００)に較べて装飾被覆部材１２０で被覆された第２演出体１００(第１演出体９０)の視認性を低くすることで、可動ベース体６０の回転に伴い装飾被覆部材１２０で被覆されていた第２演出体１００(第１演出体９０)が遊技盤２０の前面側に直接露出した際の意外性を高めることができる。また、前記装飾被覆部材１２０が透明板状に形成された遊技盤２０の遊技領域２０ａの後方に位置することで、該遊技盤２０の遊技領域２０ａの装飾性を高め得る効果が期待できる。
【００７８】
また、前記可動演出装置３１には、前記第１演出体９０および第２演出体１００の夫々に対応して第１演出体用ＬＥＤ基板７１および第２演出体用ＬＥＤ基板７８を設けたことで、第１演出体９０および第２演出体１００が回転動作するだけでなく、発光による複合的な演出も可能となり、可動演出装置３１による装飾効果・演出効果がより向上する。しかも、第１演出体９０および第２演出体１００の夫々に第１反射面９９および第２反射面１０３を対応的に設けて、第１演出体９０および第２演出体１００の回転に伴って反射された光の照射方向が回転変化するよう構成したことで発光による装飾効果・演出効果をより高めることができる。また、前記第１演出体９０では、該第１演出体９０の回転に伴ってレンズ部９６(発光部９５ａ)を透過した光の照射方向が回転移動する一方で、前記第２演出体１００では、該第２演出体１００の回転に伴い第２反射面１０３で反射された光のカバー体１０４に対する照射位置が回転移動する。すなわち、第１演出体９０および第２演出体１００による発光演出態様が異ならせたことで、発光を利用した演出態様の多様化を図り得る。
【００７９】
また、前記第１演出体９０および第２演出体１００が前記装飾被覆部材１２０で被覆された状態では、該装飾被覆部材１２０の可視部１２２を介して遊技盤２０の遊技領域２０ａを発光照明することができ、遊技領域２０ａを照明する照明手段として可動演出装置３１を利用することができる。すなわち、前記可動ベース体６０が第１位置にある状態では前記第２演出体１００の前面側が装飾被覆部材１２０で被覆されるから、該第２演出体１００に対応した前記第２演出体用ＬＥＤ基板７８のＬＥＤ７８ａを点灯・点滅等することで、第２反射面１０３からの反射光で遊技領域２０ａを発光照明することができ、可動ベース体６０が第２位置にある状態では前記第１演出体９０の前面側が装飾被覆部材１２０で被覆されるから、該第１演出体９０に対応した前記第１演出体用ＬＥＤ基板７１のＬＥＤ７１ａを点灯・点滅等することで、第１反射面１０３からの反射光で遊技領域２０ａを発光照明することができる。しかも、前述のように、前記第１演出体９０および第２演出体１００による発光演出態様が異なることで、前記可動ベース体６０が第１位置および第２位置の何れにあるかによって遊技領域２０ａ(遊技盤２０)の発光照明による装飾性に変化を付けることができる。更に、前記第１演出体用ＬＥＤ基板７１のＬＥＤ７１ａおよび第２演出体用ＬＥＤ基板７８のＬＥＤ７８ａは、単独で発光および消灯させ得るよう構成されているから、第１演出体９０および第２演出体１００の発光を利用した演出態様をより一層多様化し得る。このように、可動ベース体６０の回転と、第１演出体９０および第２演出体１００の回転とを適宜組み合わせると共に、該第１演出体９０の発光と第２演出体１００の発光とを更に組み合わせることにより、可動演出装置３１を利用した動作および発光による演出のバリエーションが増え、演出効果の格段に向上させ得る。
【００８０】
また、前記可動ベース体６０に配設された前記第２駆動モータ８１、第１発光装飾用ＬＥＤ基板６６、第２発光装飾用ＬＥＤ基板６８および第２演出体用ＬＥＤ基板７８に接続するフラットケーブル１３０は、可動ベース体６０の回転軸線Ｌ１の位置にある前記円筒状連結部１１０の配線巻き付け部１１２に一定方向に巻き付けられている。このため、前記可動ベース体６０が第１位置および第２位置に回転移動するのに伴って、配線巻き付け部１１２に対するフラットケーブル１３０の巻き付け部分が収縮・弛緩するよう撓む。従って、前記可動ベース体６０の回転に伴いフラットケーブル１３０に対して屈曲動作する負荷が掛からないから、ケーブル内部の導線の断線を防止でき、当該可動ベース体６０を繰り返し往復回転運動させ得る。しかも、前記フラットケーブル１３０は、前記環状空間１１３の外側近傍で装置本体３３(配線押さえ部材１１８)および可動ベース体６０(接続コネクタ７３)の夫々に固定されているから、可動ベース体６０の回転に伴うケーブルの変形が環状空間１１３の内部(すなわち配線巻き付け部１１２に対する巻き付け部分)に限定されるから、フラットケーブル１３０の予期しない部位に負荷が掛かるのを防止でき、当該フラットケーブル１３０の断線を効果的に防止し得る。
【００８１】
また、前記フラットケーブル１３０は、前記配線巻き付け部１１２と、該配線巻き付け部１１２の外側に環状に延在する円筒状連結部１１０との間に画成される環状空間１１３内に巻き付けられているから、可動ベース体６０の回転動作時に弛緩したフラットケーブル１３０の巻き付け部分を常に環状空間１１３内に収容でき、ケーブルの噛み込みによる断線等の不具合を防ぐことができる。更に、前記配線巻き付け部１１２の延出端部に設けられた円板状カバー部材１１５で前記環状空間１１３の後方開口を部分的に塞いだことにより、配線巻き付け部１１２に巻き付けたフラットケーブル１３０が環状空間１１３から脱落するのを防止できる。ここで、配線巻き付け部１１２は、前記円筒状連結部１１０の後端部より後方へ突出するよう構成してあるから、配線巻き付け部１１２に巻き付けられたフラットケーブル１３０を、円板状カバー部材１１５と円筒状連結部１１０の後端部との間の隙間から環状空間１１３の外部へ導出することができる。また、前記円板状カバー部材１１５は、透明な合成樹脂板により形成されており、該円板状カバー部材１１５を取り外すことなく前記環状空間１１３の内部を目視して、可動ベース体６０の回転動作に伴うフラットケーブル１３０の動き(収縮・弛緩する様子)を確認できる。これにより、可動演出装置３１における可動ベース体６０の回転動作の確認検査やメンテナンス作業の作業効率の向上を図り得る。
【００８２】
(変更例)
なお、本発明に係る遊技機の構成としては、前述した実施例に示したものに限らず、種々の変更が可能である。
【００８３】
(１)  実施例の可動演出装置では、装置本体も前側(外側)で回転する可動体(可動ベース体)に対して、第１演出体および第２演出体が回転するよう構成したが、該可動体に対して該第１演出体および第２演出体を可動体に対して装飾部材として固定的に配設するようにしてもよい。また、可動体に回転可能または固定的に配設される演出体の数は２つに限られるものではなく、１つであってもよく、また３つ以上であってもよい。
(２)  実施例では、円環状部材の外周面に歯車部を形成したが、これに限られるものではなく、周に歯車部が形成されていない円環状部材に可動体の円筒状連結部を連結してもよい。この場合には、例えば前記駆動手段(第１駆動モータ)の駆動に伴い動作する駆動伝達手段と、円筒状連結部とをリンク機構やベルト機構等の連繋機構を介して接続することで、連結孔の開口中心を中心に円環状部材を回転させることができる。また、前記円環状部材が収容される装置本体の構成は、実施例にものに限られるものではない。
(３)  実施例では、装置本体に形成した取付孔(摺動支持孔)の内周端面に摺動する摺動筒部を円環状部材に形成したが、該取付孔の開口縁部から円環状部材側に延出する筒状の延出部(摺動筒部)を形成して、該筒状の延出部が円環状部材の連結孔の内周面に摺動するよう構成することもできる。
(４)  前記円環状部材と円筒状連結部の固定構造は、実施例のものに限定されず、従来公知の各種固定構造を採用できる。
(５)  実施例では、前記円環状部材に連結される円筒状連結部の内側にフラットケーブルを巻き付ける配線巻き付け部を形成して、該フラットケーブルをガイドする環状ガイドとして円筒状連結部が機能するよう構成したが、該円筒状連結部とは別途独立して環状のガイドを形成してもよい。
(６)  実施例では、前記環状ガイドとしての円筒状連結部を、駆動伝達手段としての円環状部材に連結するよう構成したが、前記配線巻き付け部を駆動伝達手段に連結するよう構成してもよい。
(７)  また、実施例では可動体に配線巻き付け部を設けたが、これに限られるものではなく、装置本体側に配線巻き付け部を形成してもよい。すなわち、可動体の回転軸線を中心としてフラットケーブルを巻き付け可能に構成すれば、可動体および装置本体側の何れに配線巻き付け部を形成することもできる。また同様に、環状ガイドに関しても装置本体に設けてもよい。
(８)  前記可動体に配設される電気部品としては、実施例に示したもの(ＬＥＤ基板および駆動モータ)に限られるものではなく、電気的に作動する部品であればよく、また可動体に配設される電気部品の設置数も適宜に決定される。
【００８４】
(９)  実施例では、遊技盤の裏側に設置される設置部材に可動演出装置が配設される構成を例にして説明したが、遊技盤に配設される枠状装飾体に可動演出装置を設けるようにしてもよく、遊技盤自体に可動演出装置を設けてもよい。また、前枠に可動演出装置を配設することも可能である。すなわち、遊技機において遊技者側(前側)から視認可能な位置であれば、適宜位置に可動演出装置を設置することができる。
(１０)  実施例では、遊技盤の裏側に設置部材を設けるよう構成したが、該設置部材を本体枠としての中枠に設置する構成も採用できる。
(１１)  実施例では、遊技盤を透明板から構成したが、これに限られるものではなく、遊技盤を合板や合成樹脂材等により不透明に形成するようにしてもよい。
(１２)  実施例では、遊技機としてパチンコ機を例示して説明したが、これに限られるものではなく、アレンジボール機やピンボール機、スロットマシン機等の各種遊技機を採用し得る。
【符号の説明】
【００８５】
３１  可動演出装置
３３  装置本体
３７  摺動支持孔(取付孔)
３７ａ  第１環状リブ
４０  平板部
４１  配線導出孔(孔部)
４２  第１機構収容空間(収容空間)
４５  第１駆動モータ(駆動手段)
４７  第１駆動歯車(第１駆動伝達手段)
４８  第１従動歯車(第１駆動伝達手段、平歯車)
５０  円環状部材(第１駆動伝達手段)
５０ａ  連結孔
５０ｂ  第２環状リブ
５１  摺接片
５２  外周歯車部
５３  摺動筒部
５４  固定片
５４ａ  固定凹部(第１係合固定部)
５５  第１位置検出片(位置検出片)
５６  第１位置検出センサ(位置検出センサ)
６０  可動ベース体(可動体)
６６  第１発光装飾用ＬＥＤ基板(電気部品)
６８  第２発光装飾用ＬＥＤ基板(電気部品)
７１  第１演出体用ＬＥＤ基板(電気部品)
７８  第２演出体用ＬＥＤ基板(電気部品)
８１  第２駆動モータ(電気部品)
１１０  円筒状連結部
１１１  固定突部(第２係合固定部)
１１２  配線巻き付け部
１１３  環状空間
１１５  円板状カバー部材
１３０  フラットケーブル
【図１】
0005643702.tif 000002
【図２】
0005643702.tif 000003
【図３】
0005643702.tif 000004
【図４】
0005643702.tif 000005
【図５】
0005643702.tif 000006
【図６】
0005643702.tif 000007
【図７】
0005643702.tif 000008
【図８】
0005643702.tif 000009
【図９】
0005643702.tif 000010
【図１０】
0005643702.tif 000011
【図１１】
0005643702.tif 000012
【図１２】
0005643702.tif 000013
【図１３】
0005643702.tif 000014
【図１４】
0005643702.tif 000015
【図１５】
0005643702.tif 000016
【図１６】
0005643702.tif 000017
【図１７】
0005643702.tif 000018
【図１８】
0005643702.tif 000019
【図１９】
0005643702.tif 000020
【図２０】
0005643702.tif 000021
【図２１】
0005643702.tif 000022
【図２２】
0005643702.tif 000023
【図２３】
0005643702.tif 000024